(57)【特許請求の範囲】
【請求項１】
車両室内に配置される内装本体部材と、
該内装本体部材に対向して配置される装飾部材と
を備え、
前記内装本体部材及び前記装飾部材の一方に係止要素が形成され、
前記内装本体部材及び前記装飾部材の他方に、前記係止要素に対応する被係止要素が形成され、
前記係止要素及び前記被係止要素を互いに噛み合わせながら、前記装飾部材を前記内装本体部材に取り付けている車両用内装部材組立体であって、
前記装飾部材に、前記内装本体部材及び前記装飾部材の対向方向に沿うと共に前記内装本体部材に向かって突出するように角柱形状に形成された挿入突起が設けられ、
前記内装本体部材に、前記挿入突起に対応する挿入穴が設けられ、
前記内装本体部材及び前記装飾部材の取付状態で、前記挿入突起が前記挿入穴に挿入されるように構成されており、
前記挿入突起がその基端からその先端に向かって先細るように形成され、
前記取付状態で、前記挿入突起が前記挿入穴の周縁部の少なくとも一部に当接するように構成されている、車両用内装部材組立体。
【請求項２】
前記内装本体部材が、前記車両室内の車両前後方向の前方領域にて車両幅方向に沿って配置されるインストルメントパネル本体となっており、
前記インストルメントパネル本体における車両幅方向の両端領域の少なくとも一方に、空調機の吹き出し機構が設置され、
前記吹き出し機構の車両前後方向の後方部分にルーバーが設けられ、
前記装飾部材に、前記ルーバーに対応して開口が形成され、
前記挿入突起が、前記開口に対して車両幅方向中央側に位置する前記開口の周縁領域中央側部分に設けられている、請求項１に記載の車両用内装部材組立体。
【請求項３】
車両室内に配置される内装本体部材と、
該内装本体部材に対向して配置される装飾部材と
を備え、
前記内装本体部材及び前記装飾部材の一方に係止要素が形成され、
前記内装本体部材及び前記装飾部材の他方に、前記係止要素に対応する被係止要素が形成され、
前記係止要素及び前記被係止要素を互いに噛み合わせながら、前記装飾部材を前記内装本体部材に取り付けている車両用内装部材組立体であって、
前記装飾部材に、前記内装本体部材及び前記装飾部材の対向方向に沿うと共に前記内装本体部材に向かって突出するように角柱形状に形成された挿入突起が設けられ、
前記内装本体部材に、前記挿入突起に対応する挿入穴が設けられ、
前記内装本体部材及び前記装飾部材の取付状態で、前記挿入突起が前記挿入穴に挿入されるように構成されており、
前記内装本体部材が、前記車両室内の車両前後方向の前方領域にて車両幅方向に沿って配置されるインストルメントパネル本体となっており、
前記インストルメントパネル本体における車両幅方向の両端領域の少なくとも一方に、空調機の吹き出し機構が設置され、
前記吹き出し機構の車両前後方向の後方部分にルーバーが設けられ、
前記装飾部材に、前記ルーバーに対応して開口が形成され、
前記挿入突起が、前記開口に対して車両幅方向中央側に位置する前記開口の周縁領域中央側部分に設けられている、車両用内装部材組立体。
【請求項４】
前記挿入突起に、前記対向方向に直交する方向を向いて開口する凹部が設けられている、請求項１〜３のいずれか一項に記載の車両用内装部材組立体。
【請求項５】
前記内装本体部材に２つの前記被係止要素が形成され、
前記装飾部材に２つの前記係止要素が形成され、
前記挿入突起が前記２つの係止要素間に配置されている、請求項１〜４のいずれか一項に記載の車両用内装部材組立体。
【請求項６】
前記挿入突起から前記２つの係止要素のうち少なくとも１つに向かって延びるリブが設けられ、
該リブが前記装飾部材から前記内装本体部材に向かって突出するように形成されている、請求項５に記載の車両用内装部材組立体。
【発明の詳細な説明】
【技術分野】
【０００１】
本発明は、車両室内に配置される内装本体部材と、該内装本体部材に対向して配置される装飾部材とを備え、該装飾部材を内装本体部材に取り付けた車両用内装部材組立体に関する。
【背景技術】
【０００２】
自動車等の車両の室内には、複数の部材を組み立てることにより構成された内装部材組立体、例えば、インストルメントパネル組立体、センターコンソール組立体、ドアトリム組立体、リヤサイドトリム組立体、ラッゲージトリム組立体等が設置されている。一般的に、内装部材組立体は、その主な構成要素として構成される内装本体部材と、該内装本体部材に対向して配置される装飾部材とを含んでおり、かかる装飾部材が内装本体部材に取り付けられるようになっている。
【０００３】
かかる内装部材組立体においては、車両の側突、前突、後突等によって車両に荷重が加えられた場合であっても、装飾部材が内装本体部材から脱落することを防止することが要求される。そこで、多くの内装部材組立体においては、装飾部材に係止爪及び挿入突起を設け、内装本体部材に、係止爪及び挿入突起にそれぞれ対応して係止片及び挿入穴を設けて、装飾部材の係止爪を内装本体部材の係止片に噛み合わせると共に装飾部材の挿入突起を内装本体部材の挿入穴に挿入した状態で、装飾部材を内装本体部材に取り付けている。
【０００４】
さらに具体的には、内装部材組立体の一例として、内装本体部材であるインストルメントパネルに装飾部材（加飾パネル）を取り付ける構造において、装飾部材の挿入突起（舌状突起部）を舌形状に形成することが提案されている（例えば、特許文献１を参照）。また、内装部材組立体の別の一例として、内装本体部材であるインストルメントパネルに装飾部材（フィニッシャ部品）を取り付ける構造において、装飾部材の挿入突起（脱落防止用長尺突起部）をフック形状に形成することが提案されている（例えば、特許文献２を参照）。
【先行技術文献】
【特許文献】
【０００５】
【特許文献１】特開２００８−４４５７７号公報
【特許文献２】特開２００８−２５４４７９号公報
【発明の概要】
【発明が解決しようとする課題】
【０００６】
しかしながら、内装部材組立体の一例では、舌形状の挿入突起が略板形状に薄く形成されるに過ぎないので、挿入突起の強度が十分でない。そのため、依然として、係止爪及び挿入突起の変形によって装飾部材が内装本体部材から脱落するおそれがある。また、内装部材組立体の別の一例では、フック形状の挿入突起は挿入穴に挿入し難く、その結果、装飾部材が内装本体部材に取り付け難くなっている。これらのことは問題である。
【０００７】
本発明は、上述の実情を鑑みて成されたものであり、本発明の目的は、装飾部材を内装本体部材に取り付ける取付作業性の低下を防止可能とし、かつ装飾部材が内装本体部材から脱落することを防止可能とする車両用内装部材組立体を提供することにある。
【課題を解決するための手段】
【０００８】
課題を解決するために、本発明の一態様に係る車両用内装部材組立体は、車両室内に配置される内装本体部材と、該内装本体部材に対向して配置される装飾部材とを備え、前記内装本体部材及び前記装飾部材の一方に係止要素が形成され、前記内装本体部材及び前記装飾部材の他方に、前記係止要素に対応する被係止要素が形成され、前記係止要素及び前記被係止要素を互いに噛み合わせながら、前記装飾部材を前記内装本体部材に取り付けている車両用内装部材組立体であって、前記装飾部材に、前記内装本体部材及び前記装飾部材の対向方向に沿うと共に前記内装本体部材に向かって突出するように角柱形状に形成された挿入突起が設けられ、前記内装本体部材に、前記挿入突起に対応する挿入穴が設けられ、前記内装本体部材及び前記装飾部材の取付状態で、前記挿入突起が前記挿入穴に挿入されるように構成されており、前記挿入突起がその基端からその先端に向かって先細るように形成され、前記取付状態で、前記挿入突起が前記挿入穴の周縁部の少なくとも一部に当接するように構成されている。そのため、角柱形状の挿入突起がスムーズに挿入穴に挿入できるので、装飾部材を内装本体部材に取り付ける取付作業性の低下を防止できる。また、係止要素及び被係止要素の少なくとも一方は噛み合わせのために弾性変形可能にする必要があるが、挿入突起が角柱形状に形成されることによって高い剛性を有している。そのため、内装部材組立体に、内装本体部材及び装飾部材の対向方向に直交する方向の荷重が加えられた場合であっても、高剛性の挿入突起によって装飾部材の変形を抑えることができて、ひいては、弾性変形可能な状態の係止要素及び被係止要素の噛み合わせが装飾部材の変形に伴って解除されることを防止できる。よって、装飾部材が内装本体部材から脱落することを防止できる。また、挿入突起を先細るように形成することによって挿入穴に挿入し易くすることができる。また、高剛性の挿入突起と挿入穴の周縁部の少なくとも一部とを当接させることによって、内装本体部材と装飾部材との間のガタツキを防止可能としながら、上述の荷重が加えられた場合であっても装飾部材が内装本体部材から外れるように変形することを防止できる。
【０００９】
本発明の一態様に係る車両用内装部材組立体によれば、前記内装本体部材が、前記車両室内の車両前後方向の前方領域にて車両幅方向に沿って配置されるインストルメントパネル本体となっており、前記インストルメントパネル本体における車両幅方向の両端領域の少なくとも一方に、空調機の吹き出し機構が設置され、前記吹き出し機構の車両前後方向の後方部分にルーバーが設けられ、前記装飾部材に、前記ルーバーに対応して開口が形成され、前記挿入突起が、前記開口に対して前記インストルメントパネル本体の車両幅方向中央側に位置する前記開口の周縁領域中央側部分に設けられている。そのため、特に車両の側突時に、車両幅方向外方から車両幅方向中央に向かう方向の荷重がインストルメントパネル組立体に加えられ、その結果、空調機の吹き出し機構が、車両幅方向外方から車両幅方向中央に向かって倒れ込もうとしても、吹き出し機構を挿入突起により受けて、吹き出し機構の倒れ込みを防止することができる。従って、装飾部材が重量物である吹き出し機構の倒れ込みに伴って内装本体部材から脱落することを防止できる。また、開口の周縁領域の剛性は低くなる傾向にあるが、かかる開口の周縁領域を高剛性の挿入突起によって補強することができる。よって、上述の荷重が加えられた場合であっても装飾部材の変形を抑えることができて、装飾部材が内装本体部材から外れるように変形することを防止できる。
【００１０】
本発明の別の一態様に係る車両用内装部材組立体は、車両室内に配置される内装本体部材と、該内装本体部材に対向して配置される装飾部材とを備え、前記内装本体部材及び前記装飾部材の一方に係止要素が形成され、前記内装本体部材及び前記装飾部材の他方に、前記係止要素に対応する被係止要素が形成され、前記係止要素及び前記被係止要素を互いに噛み合わせながら、前記装飾部材を前記内装本体部材に取り付けている車両用内装部材組立体であって、前記装飾部材に、前記内装本体部材及び前記装飾部材の対向方向に沿うと共に前記内装本体部材に向かって突出するように角柱形状に形成された挿入突起が設けられ、前記内装本体部材に、前記挿入突起に対応する挿入穴が設けられ、前記内装本体部材及び前記装飾部材の取付状態で、前記挿入突起が前記挿入穴に挿入されるように構成されており、前記内装本体部材が、前記車両室内の車両前後方向の前方領域にて車両幅方向に沿って配置されるインストルメントパネル本体となっており、前記インストルメントパネル本体における車両幅方向の両端領域の少なくとも一方に、空調機の吹き出し機構が設置され、前記吹き出し機構の車両前後方向の後方部分にルーバーが設けられ、前記装飾部材に、前記ルーバーに対応して開口が形成され、前記挿入突起が、前記開口に対して車両幅方向中央側に位置する前記開口の周縁領域中央側部分に設けられている。そのため、角柱形状の挿入突起がスムーズに挿入穴に挿入できるので、装飾部材を内装本体部材に取り付ける取付作業性の低下を防止できる。また、係止要素及び被係止要素の少なくとも一方は噛み合わせのために弾性変形可能にする必要があるが、挿入突起が角柱形状に形成されることによって高い剛性を有している。そのため、内装部材組立体に、内装本体部材及び装飾部材の対向方向に直交する方向の荷重が加えられた場合であっても、高剛性の挿入突起によって装飾部材の変形を抑えることができて、ひいては、弾性変形可能な状態の係止要素及び被係止要素の噛み合わせが装飾部材の変形に伴って解除されることを防止できる。よって、装飾部材が内装本体部材から脱落することを防止できる。また、特に車両の側突時に、車両幅方向外方から車両幅方向中央に向かう方向の荷重がインストルメントパネル組立体に加えられ、その結果、空調機の吹き出し機構が、車両幅方向外方から車両幅方向中央に向かって倒れ込もうとしても、吹き出し機構を挿入突起により受けて、吹き出し機構の倒れ込みを防止することができる。従って、装飾部材が重量物である吹き出し機構の倒れ込みに伴って内装本体部材から脱落することを防止できる。また、開口の周縁領域の剛性は低くなる傾向にあるが、かかる開口の周縁領域を高剛性の挿入突起によって補強することができる。よって、上述の荷重が加えられた場合であっても装飾部材の変形を抑えることができて、装飾部材が内装本体部材から外れるように変形することを防止できる。
【００１１】
本発明の一態様又は別の一態様に係る車両用内装部材組立体によれば、前記挿入突起に、前記対向方向に直交する方向を向いて開口する凹部が設けられている。そのため、樹脂材料等を用いた射出成形によって装飾部材を作製する場合であっても、凹部によって挿入突起を容易に成形可能としながら、挿入突起の太さを十分に確保することによって挿入突起の剛性を高く維持することができる。また、凹部の底側に位置する挿入突起の底壁が十分な面積を有するので、凹部の底から開口に向かう方向の荷重が内装部材組立体に加えられた場合に、かかる荷重を挿入突起の底壁によって確実に受けると共に分散させることができる。よって、上述の荷重が加えられた場合であっても装飾部材の変形を抑えることができて、係止要素及び被係止要素の噛み合わせが解除されることを防止できる。
【００１２】
本発明の一態様又は別の一態様に係る車両用内装部材組立体によれば、前記内装本体部材に２つの前記被係止要素が形成され、前記装飾部材に２つの前記係止要素が形成され、前記挿入突起が前記２つの係止要素間に配置されている。そのため、高剛性の挿入突起によって、２つの係止要素を設けた装飾部材の挿入突起周辺領域の剛性を高くすることができる。よって、上述の荷重が加えられた場合であっても２つの係止要素の変形を抑えることができて、係止要素及び被係止要素の噛み合わせが解除されることを防止できる。
【００１３】
本発明の一態様又は別の一態様に係る車両用内装部材組立体によれば、前記挿入突起から前記２つの係止要素のうち少なくとも１つに向かって延びるリブが設けられ、該リブが前記装飾部材から前記内装本体部材に向かって突出するように形成されている。そのため、このようなリブによって挿入突起の剛性をさらに高めることができるので、上述の荷重が加えられた場合であっても装飾部材が内装本体部材から外れるように変形することを防止できる。
【発明の効果】
【００１４】
本発明の一態様又は別の一態様に係る車両用内装部材組立体によれば、装飾部材を内装本体部材に取り付ける取付作業性の低下を防止でき、かつ装飾部材が内装本体部材から脱落することを防止できる。
【図面の簡単な説明】
【００１５】
【図１】本発明の実施形態に係るインストルメントパネル組立体を概略的に示す分解斜視図である。
【図２】本発明の実施形態に係るインストルメントパネル組立体を組み立てた状態で図１のＡ−Ａ線に沿って切断して示す断面図である。
【図３】本発明の実施形態に係るインストルメントパネル組立体おいて、互いに組み立てられた状態のインストルメントパネル本体部材及び装飾部材を車両前方側から見て概略的に示す斜視図である。
【図４】図１のＢ部拡大図である。
【図５】本発明の実施形態に係るインストルメントパネル組立体の装飾部材を車両前方側から見て概略的に示す斜視図である。
【発明を実施するための形態】
【００１６】
本発明の実施形態に係る車両用内装部材組立体について以下に説明する。本実施形態では、一例として、車両用内装部材組立体が、車両室内の車両前後方向の前方領域に配置されるインストルメントパネル組立体であるものとして説明する。
【００１７】
図１に示すように、インストルメントパネル組立体１は、その主な構成要素として構成されると共に車両室内に配置される内装本体部材であるインストルメントパネル本体２を有している。図１では、インストルメントパネル本体２の車両幅方向の半分が示されるに過ぎないが、インストルメントパネル本体２は、車両室内の前方領域に位置し、かつ車両室内の車両幅方向の略全体に渡って延びている。
【００１８】
図１にさらに示すように、インストルメントパネル組立体１は、内装本体部材に対向して配置される装飾部材であるガーニッシュ３を有している。具体的には、ガーニッシュ３は、インストルメントパネル本体２の車両幅方向の一方端領域２ａ、特に、該一方端領域２ａの車両前後方向の後方部分２ｂに対向して配置されている。しかしながら、本発明はこれに限定されず、２つのガーニッシュ３が、それぞれインストルメントパネル本体２の車両幅方向の両端領域、特に、該両端領域の後方部分に対向して配置されてもよい。詳細は後述するが、このようなガーニッシュ３がインストルメントパネル本体２に取り付けられるようになっている。
【００１９】
図１及び図２に示すように、インストルメントパネル本体２の一方端領域２ａには、空調機の吹き出し機構４が設置されている。かかる吹き出し機構４は、その主な構成要素として構成されると共にインストルメントパネル本体２の一方端領域２ａの内部に配置される機構本体４ａを有している。また、吹き出し機構４は、機構本体４ａの車両前後方向の後方部分に取り付けられるルーバー４ｂを有し、ルーバー４ｂは、吹き出し機構４の車両前後方向の後方部分に位置している。このようなルーバー４ｂの外周縁は略四角形状に形成されている。しかしながら、本発明はこれに限定されず、２つの吹き出し機構４が、それぞれインストルメントパネル本体２の両端領域に設置されてもよく、ルーバー４ｂの外周縁が、略円形状、略半円形状、略四半円形状、略楕円形状、略半楕円形状、略四半楕円形状、略扇形状、略四角形状以外の略多角形状等に形成されていてもよい。
【００２０】
さらに、インストルメントパネル組立体１には、空調機の吹き出し機構４以外の周辺機構の一例として、メーターＭが設置されている。かかるメーターＭは、インストルメントパネル本体２の車両幅方向の一方端領域２ａに対して車両幅方向中央側に隣接するように配置され、かつガーニッシュ３と車両幅方向に隣接するように配置されている。
【００２１】
次に、インストルメントパネル本体２及びガーニッシュ３の詳細について説明する。図１〜図４に示すように、インストルメントパネル本体２には、吹き出し機構４の機構本体４ａに対応して、インストルメントパネル本体２及びガーニッシュ３の対向方向（以下、「組立対向方向」という）に貫通するように開口２ｃが形成されている。また、図１〜図３及び図５に示すように、ガーニッシュ３には、ルーバー４ｂに対応して、組立対向方向に貫通するように開口３ａが形成されている。ガーニッシュ３の開口３ａの周縁形状はルーバー４ｂの外周縁形状に対応している。インストルメントパネル本体２の開口２ｃの周縁は、ガーニッシュ３の開口３ａの周囲に位置している。
【００２２】
図３及び図５に示すように、ガーニッシュ３は、該ガーニッシュ３をインストルメントパネル本体２に固定するために用いられる係止要素である中央上側係止爪５ａ及び中央下側係止爪５ｂを有している。これらの係止爪５ａ，５ｂは、インストルメントパネル本体２に向かって突出するように形成され、かつガーニッシュ３の開口３ａに対して車両幅方向中央側に位置する開口３ａの周縁領域中央側部分３ｂに配置されている。かかる中央上側係止爪５ａは中央下側係止爪５ｂに対して車両上方に位置している。
【００２３】
また、中央上側係止爪５ａの先端領域には、車両上方に突出する突起部５ａ１が形成され、中央下側係止爪５ｂの先端領域には、車両下方に突出する突起部５ｂ１が形成されている。しかしながら、本発明はこれに限定されず、中央上側係止爪５ａの突起部５ａ１が車両上方以外の方向、例えば、車両下方、車両幅方向中央、及び車両幅方向外方のいずれかに突出するように形成されてもよく、また、中央下側係止爪５ｂの突起部５ｂ１が車両下方以外の方向、例えば、車両上方、車両幅方向中央、及び車両幅方向外方のいずれかに突出するように形成されてもよい。このような係止爪５ａ，５ｂは、突起部５ａ１，５ｂ１の突出方向及びその反対方向に弾性変形可能に構成されている。
【００２４】
これに対して、図４に示すように、インストルメントパネル本体２は、係止要素に噛み合わせ可能な被係止要素である中央上側係止片６ａ及び中央下側係止片６ｂを有し、中央上側係止片６ａ及び中央下側係止片６ｂは、それぞれ中央上側係止爪５ａ及び中央下側係止爪５ｂに対応して配置されている。
【００２５】
中央上側係止片６ａは、インストルメントパネル本体２の開口２ｃにおける車両上下方向の上縁部の一部として形成されている。また、インストルメントパネル本体２の開口２ｃに対して車両幅方向中央側に位置する開口２ｃの周縁領域中央側部分２ｄにて組立対向方向に貫通する貫通孔が形成されており、貫通孔は中央下側係止爪５ａを挿入可能に構成されている。中央下側係止片６ｂは、かかる貫通孔の周縁部の一部として形成されている。しかしながら、本発明はこれに限定されず、中央上側係止片６ａ及び中央下側係止片６ｂの少なくとも１つが突起形状、爪形状等に形成されてもよい。
【００２６】
さらに、図２、図３、及び図５に示すように、ガーニッシュ３は、組立対向方向に沿うと共にインストルメントパネル本体２に向かって突出する挿入突起７を有している。挿入突起７は略角柱形状に形成されており、挿入突起７は略四角柱形状、特に、略正四角柱形状に形成されると好ましく、挿入突起７の組立対向方向の高さは、中央上側係止爪５ａ及び中央下側係止爪５ｂの組立対向方向の高さよりも高くなっていると好ましい。挿入突起７はまた、ガーニッシュ３の開口３ａに対して車両幅方向中央側に位置する開口３ａの周縁領域中央側部分３ｂに設けられ、かつ中央上側係止爪５ａ及び中央下側係止爪５ｂ間に位置している。特に、車両上下方向の位置関係について、挿入突起７は、ガーニッシュ３における開口３ａの車両上下方向の中央に対応して配置されていると好ましい。
【００２７】
挿入突起７はまた、その基端からその先端に向かって先細るように形成されている。特に、挿入突起７の車両上下方向の上壁７ａが、挿入突起７の基端からその先端に向かうに従って車両上方から車両下方に傾斜していると好ましく、かつ挿入突起７の車両上下方向の下壁７ｂが、挿入突起７の基端から挿入突起７の先端に向かうに従って車両下方から車両上方に傾斜していると好ましい。図２では、凹部８の底側に位置する挿入突起７の底壁７ｃ（すなわち、挿入突起７の車両幅方向の外方壁）は、組立体対向方向に沿って延びているが、本発明はこれに限定されず、底壁７ｃが、挿入突起７の基端から挿入突起７の先端に向かうに従って車両幅方向外方から車両幅方向中央に向かって傾斜していてもよい。
【００２８】
このような挿入突起７の基端における横断面の一辺の長さは、中央上側係止爪５ａ及び中央下側係止爪５ｂにおける突起部５ａ１，５ｂ１の突出方向の厚みよりも大きくなっているとよい。特に、挿入突起７の全体における横断面の一辺の長さが、中央上側係止爪５ａ及び中央下側係止爪５ｂにおける突起部５ａ１，５ｂ１の突出方向の厚みよりも大きくなっていると好ましい。
【００２９】
図５に示すように、このような挿入突起７には、組立対向方向に直交する方向を向いて開口する凹部８が形成されている。かかる凹部８は、車両幅方向外方から車両幅方向中央に向かって開口していると好ましい。図５では、挿入突起７に、組立対向方向に並んだ２つの凹部８が形成されており、２つの凹部８間には仕切壁が形成されることとなる。しかしながら、本発明はこれに限定されず、挿入突起７には、１つ又は３つ以上の凹部が形成されてもよい。
【００３０】
図５に示すように、ガーニッシュ３は、挿入突起７から中央上側係止爪５ａ及び中央下側係止爪５ｂのそれぞれに向かって延びるリブ９を有している。しかしながら、本発明は、これに限定されず、ガーニッシュ３は、挿入突起７から中央上側係止爪５ａ及び中央下側係止爪５ｂの一方のみに向かって延びるリブを有していてもよい。このようなリブ９は、ガーニッシュ３からインストルメントパネル本体２に向かって突出するように形成されている。リブ９はまた、車両上下方向に沿って配置されると好ましい。
【００３１】
これに対して、図２〜図４に示すように、インストルメントパネル本体２には、挿入突起７に対応する挿入穴１０が形成されている。かかる挿入穴１０は貫通孔及び止まり穴のいずれであってもよい。挿入穴１０の周縁部は、ガーニッシュ３をインストルメントパネル２に取り付けた取付状態にて、挿入突起７の少なくとも一部に当接するように形成されており、特に、挿入突起７と車両幅方向に当接するように形成されると好ましい。
【００３２】
ここで、インストルメントパネル本体２及びガーニッシュ３のさらに好ましい構成について説明する。図３及び図５に示すように、ガーニッシュ３は、該ガーニッシュ３をインストルメントパネル本体２に固定するために用いられるさらなる係止要素である外方上側係止爪１１ａ、外方下側係止爪１１ｂ、及び外方中央係止爪１１ｃを有している。これらの係止爪１１ａ，１１ｂ，１１ｃは、インストルメントパネル本体２に向かって突出するように形成され、かつガーニッシュ３の開口３ａに対して車両幅方向外方側に位置する開口３ａの周縁領域外方側部分３ｃに設けられている。
【００３３】
このような外方上側係止爪１１ａは外方下側係止爪１１ｂに対して車両上方に配置され、外方中央係止爪１１ｃは外方上側係止爪１１ａ及び外方下側係止爪１１ｂ間に配置されている。特に、車両上下方向の位置関係について、外方上側係止爪１１ａは中央上側係止爪５ａと車両上下方向に対応して配置されると好ましく、外方下側係止爪１１ｂは中央下側係止爪５ｂと車両上下方向に対応して配置されると好ましく、外方中央係止爪１１ｃは挿入突起７と車両上下方向に対応して配置されると好ましい。このような係止爪１１ａ，１１ｂ，１１ｃの組立対向方向の高さは、挿入突起７の組立対向方向の高さよりも低くなっていると好ましい。
【００３４】
外方上側係止爪１１ａの先端領域には、車両上方に突出する突起部１１ａ１が形成され、外方下側係止爪１１ｂの先端領域には、車両下方に突出する突起部１１ｂ１が形成され、外方中央係止爪１１ｃの先端領域には、車両幅方向外方に突出する突起部１１ｃ１が形成されている。しかしながら、本発明はこれに限定されず、外方上側係止爪１１ａの突起部１１ａ１が車両上方以外の方向、例えば、車両下方、車両幅方向中央、及び車両幅方向外方のいずれかに突出するように形成されてもよく、外方下側係止爪１１ｂの突起部１１ｂ１が車両下方以外の方向、例えば、車両上方、車両幅方向中央、及び車両幅方向外方のいずれかに突出するように形成されてもよく、さらに、外方中央係止爪１１ｃの突起部１１ｃ１が車両幅方向外方以外の方向、例えば、車両上方、車両下方、及び車両幅方向中央のいずれかに突出するように形成されていてもよい。このような係止爪１１ａ，１１ｂ，１１ｃは、突起部１１ａ１，１１ｂ１，１１ｃ１の突出方向及びその反対方向に弾性変形可能に構成されている。
【００３５】
これに対して、図４に示すように、インストルメントパネル本体２は、さらなる係止要素に噛み合わせ可能なさらなる被係止要素である外方上側係止片１２ａ、外方下側係止片１２ｂ、及び外方中央係止片１２ｃを有し、外方上側係止片１２ａ、外方下側係止片１２ｂ、及び外方中央係止片１２ｃは、それぞれ外方上側係止爪１１ａ、外方下側係止爪１１ｂ、及び外方中央係止爪１１ｃに対応して配置されている。
【００３６】
かかる外方上側係止片１２ａは、インストルメントパネル本体２の開口２ｃにおける上縁部の一部として形成され、外方下側係止片１２ｂは、インストルメントパネル本体２の開口２ｃにおける下縁部の一部として形成され、外方中央係止片１２ｃは、インストルメントパネル本体２の開口２ｃにおける車幅方向の外方縁部の一部として形成されている。しかしながら、本発明はこれに限定されず、外方上側係止片１２ａ、外方下側係止片１２ｂ、及び外方中央係止片１２ｃの少なくとも１つが突起形状、爪形状等に形成されてもよい。
【００３７】
ここで、図１〜図５を参照して、ガーニッシュ３をインストルメントパネル本体２に取り付ける方法について説明する。インストルメントパネル本体２及びガーニッシュ３を互いに対向するように配置する。その後、ガーニッシュ３をインストルメントパネル本体２に向けて移動させる。
【００３８】
このようなガーニッシュ３の移動時に、ガーニッシュ３の挿入突起７をインストルメントパネル本体２の挿入穴１０に挿入するように移動させる。また、ガーニッシュ３の中央上側係止爪５ａ、中央下側係止爪５ｂ、外方上側係止爪１１ａ、外方下側係止爪１１ｂ、及び外方中央係止爪１１ｃを、それぞれインストルメントパネル本体２の中央上側係止片６ａ、中央下側係止片６ｂ、外方上側係止片１２ａ、外方下側係止片１２ｂ、及び外方中央係止片１２ｃに噛み合わせるように移動させる。この噛み合わせの途中過程においては、係止爪５ａ，５ｂ，１１ａ，１１ｂ，１１ｃの突起部５ａ１，５ｂ１，１１ａ１，１１ｂ１，１１ｃ１が、それぞれ、その突出方向にて係止片６ａ，６ｂ，１２ａ，１２ｂ，１２ｃに当接しながら、これらの係止爪５ａ，５ｂ，１１ａ，１１ｂ，１１ｃが、突起部５ａ１，５ｂ１，１１ａ１，１１ｂ１，１１ｃ１の突出方向とは反対方向に撓むように弾性変形する。
【００３９】
ガーニッシュ３の移動完了後、ガーニッシュ３をインストルメントパネル本体２に取り付けた取付状態では、挿入突起７が、挿入穴１０の周縁部に車両幅方向にて当接するように挿入穴１０に挿入される。さらに、係止爪５ａ，５ｂ，１１ａ，１１ｂ，１１ｃが、それらの突起部５ａ１，５ｂ１，１１ａ１，１１ｂ１，１１ｃ１をそれぞれ係止片６ａ，６ｂ，１２ａ，１２ｂ，１２ｃに組立対向方向に当接させるように、係止片６ａ，６ｂ，１２ａ，１２ｂ，１２ｃに噛み合わされる。
【００４０】
ガーニッシュ３がインストルメントパネル本体２から脱落することを防止する作用の一例として、車両が側突された場合の作用について説明する。車両が側突された際、インストルメントパネル組立体１に車両幅方向外方から車両幅方向中央に向かう荷重（図２にて矢印Ｘにより示す）が加えられる。かかる荷重によって、ガーニッシュ３が車両幅方向中央に向かって移動しようする。さらには、外方中央係止爪１１ｃが車両幅方向中央に向かって撓み、その結果、外方中央係止爪１１ｃ及び外方中央係止片１２ｃの噛み合わせが解除された場合には、ガーニッシュ３における開口３ａの周縁領域外方側部分３ｃが車両後方に移動するように、ガーニッシュ３が矢印Ｙにより示した軌跡に沿って回転しようとする。これに対して、略四角柱形状の挿入突起７が高い剛性を有し、かつインストルメントパネル本体２の挿入穴１０の周縁部と車両幅方向に当接しているので、ガーニッシュ３の車両幅方向中央に向かう移動が挿入突起７によって抑えられ、ひいては、上述のガーニッシュ３の回転もまた抑えられる。そのため、ガーニッシュ３がインストルメントパネル本体２から脱落することが防止されることとなる。
【００４１】
以上、本実施形態に係るインストルメントパネル組立体１によれば以下の効果が得られる。本実施形態に係るインストルメントパネル組立体１によれば、ガーニッシュ３の略四角柱形状の挿入突起７がスムーズにインストルメントパネル本体２の挿入穴１０に挿入できるので、ガーニッシュ３をインストルメントパネル本体２に取り付ける取付作業性の低下を防止できる。また、ガーニッシュ３の中央上側係止爪５ａ及び中央下側係止爪５ｂは、それぞれ中央上側係止片６ａ及び中央下側係止片６ｂとの噛み合わせのために弾性変形可能に形成されているが、挿入突起７が略四角柱形状に形成されることによって高い剛性を有している。そのため、インストルメントパネル組立体１に、組立対向方向に直交する方向の荷重、特に、車両幅方向外方から車両幅方向中央に向かう荷重（矢印Ｘにより示す）が加えられた場合であっても、高剛性の挿入突起７によってガーニッシュ３の変形を抑えることができて、ひいては、弾性変形可能な状態の中央上側係止爪５ａ及び中央上側係止片６ａの噛み合わせ、並びに弾性変形可能な状態の中央下側係止爪５ｂ及び中央下側係止片６ｂの噛み合わせがガーニッシュ３の変形に伴って解除されることを防止できる。よって、ガーニッシュ３がインストルメントパネル本体２から脱落することを防止できる。
【００４２】
本実施形態に係るインストルメントパネル組立体１によれば、樹脂材料等を用いた射出成形によってガーニッシュ３を作製する場合であっても、凹部８によって挿入突起７を容易に成形可能としながら、挿入突起７の太さを十分に確保することによって挿入突起７の剛性を高く維持することができる。また、凹部８の底側に位置する挿入突起７の底壁７ｃが十分な面積を有するので、凹部８の底から開口に向かう方向の荷重、すなわち、車両幅方向外方から車両幅方向中央に向かう荷重がインストルメントパネル組立体１に加えられた場合に、かかる荷重を挿入突起７の底壁７ｃによって確実に受けると共に分散させることができる。よって、上述の荷重が加えられた場合であってもガーニッシュ３の変形を抑えることができて、中央上側係止爪５ａ及び中央上側係止片６ａの噛み合わせ、並びに中央下側係止爪５ｂ及び中央下側係止片６ｂの噛み合わせが解除されることを防止できる。
【００４３】
本実施形態に係るインストルメントパネル組立体１によれば、高剛性の挿入突起７を中央上側係止爪５ａ及び中央下側係止爪５ｂ間に配置しているので、中央上側係止爪５ａ及び中央下側係止爪５ｂを設けたガーニッシュ３における挿入突起７の周辺領域の剛性を高くすることができる。よって、上述の荷重が加えられた場合であっても中央上側係止爪５ａ及び中央下側係止爪５ｂの変形を抑えることができて、中央上側係止爪５ａ及び中央上側係止片６ａの噛み合わせ、並びに中央下側係止爪５ｂ及び中央下側係止片６ｂの噛み合わせが解除されることを防止できる。
【００４４】
本実施形態に係るインストルメントパネル組立体１によれば、ガーニッシュ３のリブ９によって挿入突起７の剛性をさらに高めることができるので、上述の荷重が加えられた場合であってもガーニッシュ３がインストルメントパネル本体２から外れるように変形することを防止できる。
【００４５】
本実施形態に係るインストルメントパネル組立体１によれば、挿入突起７を先細るように形成しているので、挿入突起７を挿入穴１０に挿入し易くすることができる。また、高剛性の挿入突起７と挿入穴１０の周縁部との当接によって、インストルメントパネル本体２とガーニッシュ３との間のガタツキを防止可能としながら、上述の荷重が加えられた場合であってもガーニッシュ３がインストルメントパネル本体２から外れるように変形することを防止できる。
【００４６】
本実施形態に係るインストルメントパネル組立体１によれば、特に車両の側突時に、車両幅方向外方から車両幅方向中央に向かう方向の荷重がインストルメントパネル組立体１に加えられ、その結果、空調機の吹き出し機構４が、車両幅方向外方から車両幅方向中央に向かって倒れ込もうとしても、吹き出し機構４を挿入突起７により受けて、吹き出し機構４の倒れ込みを防止することができる。従って、ガーニッシュ３が重量物である吹き出し機構４の倒れ込みに伴ってインストルメントパネル本体２から脱落することを防止できる。また、ガーニッシュ３における開口３ａの周縁領域の剛性は低くなる傾向にあるが、このような開口３ａの周縁領域を高剛性の挿入突起７によって補強することができる。よって、上述の荷重が加えられた場合であってもガーニッシュ３の変形を抑えることができて、ガーニッシュ３がインストルメントパネル本体２から外れるように変形することを防止できる。
【００４７】
ここまで本発明の実施形態について説明したが、本発明は上述した実施形態に限定されるものではない。本発明は、その技術的思想に基づいて変形かつ変更可能である。
【００４８】
例えば、本発明の第１変形例として、ガーニッシュをインストルメントパネル本体の車両幅方向の中央領域と対向するように配置し、空調機の吹き出し機構をインストルメントパネル本体の中央領域に設置してもよい。特に、吹き出し機構がインストルメントパネルの中央領域の車両幅方向外方寄りに位置するとよく、この場合、インストルメントパネルの中央領域に車両幅方向に間隔を空けて２つの吹き出し機構が設置されてもよい。
【００４９】
本発明の第２変形例として、車両用内装部材組立体をセンターコンソール組立体とし、内装本体部材をセンターコンソール本体とし、装飾部材であるガーニッシュをセンターコンソール本体の車両前後方向の後方領域に対向して配置し、空調機の吹き出し機構をセンターコンソール本体の後方領域に設置するとよい。特に、吹き出し機構がセンターコンソール本体の後方領域の車両幅方向外方寄りに位置するとよく、この場合、センターコンソール本体の後方領域に車両幅方向に間隔を空けて２つの吹き出し機構が設置されてもよい。
【００５０】
本発明の第３変形例として、上述の係止要素及びさらなる被係止要素の少なくとも１つが内装本体部材に設けられ、これに対応する被係止要素及びさらなる被係止要素の少なくとも１つが装飾部材に設けられてもよい。
【符号の説明】
【００５１】
１  インストルメントパネル組立体
２  インストルメントパネル本体
２ａ  一方端領域
３  ガーニッシュ
３ａ  開口
３ｂ  周縁領域中央側部分
４  空調機の吹き出し機構
４ｂ  ルーバー
５ａ  中央上側係止爪
５ｂ  中央下側係止爪
６ａ  中央上側係止片
６ｂ  中央下側係止片
７  挿入突起
７ｃ  底壁（外方壁）
８  凹部
９  リブ
１０  挿入穴
Ｍ  メーター
Ｘ，Ｙ  矢印
【図１】
0006531897.tif 000002
【図２】
0006531897.tif 000003
【図３】
0006531897.tif 000004
【図４】
0006531897.tif 000005
【図５】
0006531897.tif 000006